(57)【要約】【課題】簡易に取り付け可能な操作装置及びトイレシステムを提供する。【解決手段】操作装置１０２は、機能部１２及び送電部２１を有する便器装置１０１に取り付けられる操作装置であって、送電部２１から非接触で受電が可能な受電部４と、機能部１２の受信部に対して、所望の指示を送信可能な送信部を有する操作部５と、を備え、操作装置１０２は、便器装置１０１に着脱可能に取り付けられ、便器装置１０１の送電部２１と対応した位置に配置されていることを特徴とする。【選択図】図１
2019173351.tif 000002
【特許請求の範囲】
【請求項１】
機能部及び送電部を有する便器装置に取り付けられる操作装置であって、
前記送電部から非接触で受電が可能な受電部と、
前記機能部の受信部に対して、所望の指示を送信可能な送信部を有する操作部と、を備えることを特徴とする操作装置。
【請求項２】
前記便器装置に着脱可能に取り付けられている請求項１に記載の操作装置。
【請求項３】
送電部を有する便器装置と、
該便器装置に取り付けられる請求項１または２に記載の操作装置と、を備え、
前記送電部は、前記便器装置の左右方向の中央または前記左右方向の両側に配置されていることを特徴とするトイレシステム。
【請求項４】
前記便器装置は、前記操作装置が取り付けられる取付位置を案内する案内部を有する請求項３に記載のトイレシステム。
【請求項５】
前記便器装置の外面には、内方に凹む凹部が設けられ、
該凹部には、前記操作装置が取り付けられるとともに、該凹部を閉塞する蓋部が開閉可能に設けられている請求項３または４に記載のトイレシステム。
【発明の詳細な説明】
【技術分野】
【０００１】
本発明は、操作装置及びトイレシステムに関するものである。
【背景技術】
【０００２】
従来から、トイレには洗浄水を流す操作レバーが設けられた便器装置が知られている（下記の特許文献１参照）。この操作レバーは、利用者が把持可能な把持部と、トイレの便座ボックスの側面を貫通するように設けられて操作軸と、を有している。操作軸は、給水弁装置に接続されている。操作レバーを操作することで、給水弁装置内の弁が開き、タンクから洗浄水が便器内に供給される構成である。
【先行技術文献】
【特許文献】
【０００３】
【特許文献１】特開２０１０−１９６４４６号
【発明の概要】
【発明が解決しようとする課題】
【０００４】
しかしながら、上記の特許文献１に記載された便器装置では、便座ボックスの側面に、レバーが貫通される貫通孔を設ける必要があり、便座ボックスの加工が複雑になるという問題点がある。
このような問題点は、便器装置の内部に設けられた機能部に対して各種の操作の指示を出す操作装置を取り付けようとした場合、同様の問題が生じる。
【０００５】
そこで、本発明は、上記事情に鑑みてなされたものであり、簡易に取り付け可能な操作装置及びトイレシステムを提供する。
【課題を解決するための手段】
【０００６】
上記目的を達成するために、本発明は以下の手段を採用している。
すなわち、本発明に係る操作装置は、機能部及び送電部を有する便器装置に取り付けられる操作装置であって、前記送電部から非接触で受電が可能な受電部と、前記機能部の受信部に対して、所望の指示を送信可能な送信部を有する操作部と、を備えることを特徴とする。
【０００７】
このように構成された操作装置では、受電部は、便器装置に設けられた送電部から非接触で受電する。操作装置を便器装置の所望の位置に設置すれば、操作部の送信部が機能部の受信部に対して所望の指示を電気的に送信する。操作装置を便器装置に設置する際には、操作部から機能部まで接続された部材等が不要であるため、操作装置を簡易に取り付けることができる。
【０００８】
また、本発明に係る操作装置は、前記便器装置に着脱可能に取り付けられていることが好ましい。
【０００９】
このように構成された操作装置では、操作装置は便器装置に着脱可能に取り付けられているため、便器装置の所望の位置に操作装置を取り付けることができ、利便性が高い。
【００１０】
また、本発明に係るトイレシステムは、送電部を有する便器装置と、該便器装置に取り付けられる上記のいずれかに記載の操作装置と、を備え、前記送電部は、前記便器装置の左右方向の中央または前記左右方向の両側に配置されていることを特徴とする。
【００１１】
このように構成されたトイレシステムでは、送電部が便器装置の左右方向の中央に配置されている場合には、送電部を１箇所にのみ設ければよいため、便器装置の内部の構成をシンプルにすることができる。また、送電部が便器装置の左右方向の両側に配置されている場合には、利用者の利き手等に応じて、操作装置を便器装置の右側及び左側のいずれかに取り付けることができ、利便性が高い。
【００１２】
また、本発明に係るトイレシステムは、前記便器装置は、前記操作装置が取り付けられる取付位置を案内する案内部を有することが好ましい。
【００１３】
このように構成されたトイレシステムでは、操作装置を便器装置に取り付ける際には、便器装置に設けられた案内部に沿って取り付ければよいため、取り付けやすいとともに、取付位置を間違えたりすることがない。
【００１４】
また、本発明に係るトイレシステムは、前記便器装置の外面には、内方に凹む凹部が設けられ、該凹部には、前記操作装置が取り付けられるとともに、該凹部を閉塞する蓋部が開閉可能に設けられていてもよい。
【００１５】
このように構成されたトイレシステムでは、便器装置の外面には、内方に凹む凹部が設けられている。凹部には、凹部を閉塞する蓋部が、開閉可能に設けられている。蓋部を外して凹部に操作装置を取り付けることができるとともに、凹部に操作装置を取り付けない場合には蓋部で凹部を閉塞して外観を向上させることができる。
【発明の効果】
【００１６】
本発明に係る操作装置及びトイレシステムによれば、簡易に取り付けることができる。
【図面の簡単な説明】
【００１７】
【図１】本発明の第一実施形態に係るトイレシステムの斜視図である。
【図２】本発明の第二実施形態に係るトイレシステムの便座及び便蓋が閉じた状態を上方から見た図である。
【図３】図２のＡ−Ａ線断面図である。
【図４】図３のＢ部拡大図である。
【発明を実施するための形態】
【００１８】
（第一実施形態）
本発明の第一実施形態に係る操作装置を備えたトイレシステムについて、図面を用いて説明する。
図１は、本発明の第一実施形態に係る操作装置を備えたトイレシステムの斜視図である。
図１に示すように、トイレシステム１００は、便器装置１０１と、スイッチユニット（操作装置）１０２と、を備えている。便器装置１０１は、下方に凹む開口部（不図示）が設けられた便器１１と、便器１１の上部に設けられた機能装置１２と、機能装置１２を収容する本体カバー１３及びトップカバー１４と、機能装置１２に回動可能に支持された便座１５及び便蓋１６と、を備えている。機能装置１２は、便器１１の洗浄が可能な便器洗浄装置（不図示。以下同じ。）、局部洗浄装置（不図示。以下同じ。）、便座１５及び便蓋１６を開閉する開閉装置（不図示。以下同じ。）などの各種機能部や機能部品など、及び送電部２１を有している。
なお、下記の説明において、利用者が便座１５に着座した状態で前方を向く方向を「前方」とし、反対側を「後方」とし、これらを結ぶ方向を前後方向とする。また、便座１５に着座した利用者から見て左側を「左側」とし、右側を「右側」とし、これらを結ぶ方向を左右方向とする。
【００１９】
便座１５は、便器１１の上部に設置されている。便蓋１６は、閉塞された状態で、便器１１の開口部の上部及び便座１５を覆うように設置されている。
【００２０】
本体カバー１３は、機能装置１２の側方から後方を覆うように設けられている。本体カバー１３は、機能装置１２の左右両側方に配置された側面パネル３１（図１では一方の側面パネル３１のみを示している）と、機能装置１２の後方に配置された後面パネル３６とを、有している。側面パネル３１及び後面パネル３６は、一体に形成されている。
【００２１】
トップカバー１４は、本体カバー１３の上方に設けられている。トップカバー１４は、機能装置１２の側方から後方を覆うように設けられている。
【００２２】
送電部２１は、後述するスイッチユニット１０２の受電部４に非接触で送電する。例えば、送電部２１は送電コイル（不図示。以下同じ。）を有し、受電部４は受電コイル（不図示。以下同じ。）を有している。電磁誘導方式または磁気共鳴方式等により、送電コイルは、受電コイルに電力を伝送（ワイヤレス電力伝送）する。
【００２３】
送電部２１は、機能装置１２の一部として設けられている。本実施形態では、送電部２１は、左右方向の両側に配置されている。左側の送電部２１は、便器装置１０１の左端部よりも内方（左右方向の中央側）に配置されている。送電部２１の側方（左側）は、本体カバー１３の側面パネル３１で覆われている。右側の送電部２１は、便器装置１０１の右端部よりも内方に配置されている。送電部２１の側方（右側）は、本体カバー１３の側面パネル３１で覆われている。便器装置１０１には、送電部２１が配置される位置に対応して、送電部２１の近傍等にマグネット２２が設けられている。
【００２４】
スイッチユニット１０２は、受電部４と、スイッチ（操作部）５と、表示部６と、磁性体７と、有している。スイッチユニット１０２は、左右方向から見て円形状をなす円柱状に形成されている。
【００２５】
受電部４は、便器装置１０１に設けられた送電部２１から伝送される電力を受電し、これによりスイッチ５の操作及び表示部６の表示が可能となる。
【００２６】
スイッチ５は、スイッチユニット１０２の側面に設けられている。スイッチ５は、内方に押圧可能とされている。利用者がスイッチ５を押圧することで、スイッチ５の送信部（不図示）から操作信号が機能装置１２の受信部（不図示。以下同じ。）に送信される。受信部は操作信号を受信して、便器洗浄装置に対して洗浄水を供給する洗浄信号を送信する。便器洗浄装置は、洗浄信号に基づいて便器１１内に洗浄水を供給する。
【００２７】
表示部６は、スイッチユニット１０２の周方向に沿って設けられている。表示部６は、エコモード、除菌モード等の各種機能の文字または記号、絵等を点灯させて表示可能である。
【００２８】
スイッチユニット１０２の内部には、便器装置１０１の送電部２１の近傍に設けられたマグネット２２に吸着可能な鉄等の磁性体（不図示。以下同じ。）が設けられている。このように、スイッチユニット１０２は、便器装置１０１に着脱可能に取り付けられている。なお、図１では、スイッチユニット１０２は、便器装置１０１の左側に取り付けられているが、便器装置１０１の右側のマグネット２２の位置に対応して、便器装置１０１の右側にも取付可能である。
【００２９】
このように構成されたトイレシステム１００では、受電部４は、便器装置１０１に設けられた送電部２１から非接触で受電する。スイッチユニット１０２を便器装置１０１を送電部２１に対応した位置に設置すれば、スイッチ５の操作が可能となる。スイッチ５を操作することで、スイッチ５の送信部から機能装置１２の受信部に対して操作信号を送信する。スイッチユニット１０２を便器装置１０１に設置する際には、スイッチ５から機能装置１２まで接続された部材等が不要であるため、スイッチユニット１０２を簡易に取り付けることができる。
【００３０】
また、スイッチユニット１０２は便器装置１０１に着脱可能に取り付けられているため、便器装置１０１の所望の位置にスイッチユニット１０２を取り付けることができ、利便性が高い。
【００３１】
また、送電部２１は、便器装置１０１の左右方向の両側に配置されている。よって、利用者の利き手等に応じて、スイッチユニット１０２を便器装置１０１の右側及び左側のいずれかに取り付けることができ、利便性が高い。
【００３２】
（第二実施形態）
次に、本発明の第二実施形態に係る操作装置を備えたトイレシステムについて、主に図２から図４を用いて説明する。
下記に示す第二実施形態の説明において、前述した部材と同一の部材には同一の符号を付して、その説明を省略する。
図２は、本発明の第二実施形態に係るトイレシステム１００の便座１５及び便蓋１６が閉じた状態を上方から見た図である。図３は、図２のＡ−Ａ線断面図である。図４は、図３のＢ部拡大図である。
【００３３】
図３及び図４に示すように、本実施形態では、便器装置１０１の本体カバー１３の側面パネル３１には、左右方向に貫通する取付孔３１ｈが形成されている。取付孔３１ｈは、左右方向から見て円形状に形成されている。
【００３４】
取付孔３１ｈの外縁には、内方（左右方向の中央側）に向かって延びる鍔部３２が設けられている。鍔部３２は、左右方向から見て円形状に形成されている。
【００３５】
取付孔３１ｈの内方（左右方向の中央側）には、送電ユニット２６が設けられている。送電ユニット２６は、不図示の取付部等により側面パネル３１に支持されている。送電ユニット２６における例えば左右方向の端部側を向く面に、送電部２１及びマグネット２２を有している。
【００３６】
側面パネル３１の取付孔３１ｈ、鍔部３２及び送電ユニット２６により、側面パネル３１から内方に凹む凹部（案内部）３３が形成されている。凹部３３は、利用者にとって、スイッチユニット１０２Ａの取付位置を案内する機能を有している。
【００３７】
スイッチユニット１０２Ａは、スイッチ（操作部）５と、受電部４と、表示部６と、磁性体７と、有している。スイッチユニット１０２Ａは、左右方向から見て円形状をなす略円柱状に形成されている。
【００３８】
スイッチ５は、スイッチケース５０と、弾性部材７０と、被押圧部８０と、付勢部８９と、スイッチ本体９０と、を有している。
【００３９】
スイッチケース５０は、外ケース部１５０と、外ケース部１５０よりも左右方向の中央側に配置される内ケース部１６０と、外ケース部１５０と内ケース部１６０とを連結する連結部１６６と、を有している。
【００４０】
外ケース部１５０は、左右方向から見て環状に形成された環状部１５１と、環状部１５１の内縁から左右方向の中央側に凹む第一段部１５２と、第一段部１５２の内縁から左右方向の中央側に凹む第二段部１５３と、第二段部１５３の内縁から左右方向の中央側に凹む第三段部１５４と、を有している。
【００４１】
第三段部１５４の底部１５５には、左右方向に貫通する貫通孔１５５ｈが形成されている。貫通孔１５５ｈ内には、弾性部材７０が配置されている。
【００４２】
内ケース部１６０は、取付孔３１ｈ内に配置されている。内ケース部１６０の左右方向の端部側には、径方向の外側に向かって延出する内ケースフランジ１６１が設けられている。内ケースフランジ１６１が、側面パネル３１における取付孔３１ｈの外縁に係止されている。
【００４３】
内ケース部１６０内には、制御回路等が設けられた基板１６３が設けられている。基板１６３は、左右方向から見て円形状をなしている。
【００４４】
弾性部材７０は、左右方向に延びる有底筒状に形成された筒状部１７１を有している。筒状部１７１の左右方向の端部には、径方向の外側に延びる内筒フランジ１７２が設けられている。内筒フランジ１７２は、左右方向から見て環状に形成されている。内筒フランジ１７２は、第三段部１５４の底部１５５に当接している。弾性部材７０は、左右方向に弾性変形可能とされている。
【００４５】
被押圧部８０は、外ケース部１５０の内部に配置されている。被押圧部８０は、左右方向から見て円形状をなしている。被押圧部８０の外面は、外ケース部１５０の環状部１５１の外面と同一平面上に配置されている。
【００４６】
被押圧部８０には、左右方向の中央側に延びる軸部１８１が設けられている。軸部１８１は、弾性部材７０の筒状部１７１内に配置されている。
【００４７】
付勢部８９は、弾性部材７０の内筒フランジ１７２の径方向の外側に配置されている。付勢部８９は、らせん状に形成されている。付勢部８９は、一端部がスイッチケース５０の第三段部１５４の底部１５５に当接しているとともに、他端部が被押圧部８０の内面に当接している。これにより、付勢部８９は、被押圧部８０を左右方向の端部側に付勢している。
【００４８】
スイッチ本体９０は、弾性部材７０における送電ユニット２６側を向く面に設けられている。
【００４９】
受電部４は、基板１６３における例えば送電ユニット２６側を向く面に設けられている。受電部４は、左右方向の中央側を向くように配置されている。
【００５０】
スイッチユニット１０２Ａの内部には、例えば便器装置１０１に設けられた送電ユニット２６のマグネット２２に対向するように、磁性体７が設けられている。
【００５１】
利用者が、スイッチユニット１０２Ａの被押圧部８０を押圧すると、被押圧部８０の内面に当接している付勢部８９が収縮する。被押圧部８０の軸部１８１の先端部が、弾性部材７０の筒状部１７１の底部１７３を押圧する。これにより、筒状部１７１が左右方向に伸長して、底部１７３が左右方向の中央側、つまり送電ユニット２６側に変位する。底部１７３が、スイッチ本体９０を押圧する。そして、基板１６３の回路がつながり、送信部（不図示）から操作信号が機能装置１２（図１参照。以下同じ。）の受信部に送信される。受信部は操作信号を受信して、便器洗浄装置に対して洗浄水を供給する洗浄信号を送信する。便器洗浄装置は、洗浄信号に基づいて便器１１内に洗浄水を供給する。
【００５２】
本体カバー１３の取付孔３１ｈには、取付孔３１ｈを閉塞する蓋部４０（図４に示す二点鎖線）が設けられている。取付孔３１ｈ内にスイッチユニット１０２Ａを取り付けられていない場合には、蓋部４０は取付孔３１ｈを閉塞している。取付孔３１ｈ内にスイッチユニット１０２Ａが取り付けられている場合には、蓋部４０が取り外されている。なお、取付孔３１ｈ内にスイッチユニット１０２Ａが取り付けられている場合に、蓋部４０が回動やスライドして開いた状態とされる構成であってもよい。
【００５３】
このように構成されたトイレシステムででは、スイッチユニット１０２Ａを便器装置１０１に取り付ける際には、便器装置１０１の外面に形成された凹部３３に沿って取り付ければよいため、取り付けやすいとともに、取付位置を間違えたりすることがない。
【００５４】
また、凹部３３には、凹部３３を閉塞する蓋部４０が、開閉可能に設けられている。蓋部４０を外して凹部３３にスイッチユニット１０２Ａを取り付けることができるとともに、凹部３３にスイッチユニット１０２Ａを取り付けない場合には蓋部４０で凹部３３を閉塞して外観を向上させることができる。
【００５５】
なお、本発明に係るトイレシステム１００は、上述した実施形態に限定されるものではなく、本発明の要旨を逸脱しない範囲で適宜の変更や置換等が可能である。
【００５６】
例えば、上記に示す実施形態では、スイッチユニット１０２は、便器装置１０１に、マグネット２２と磁性体７との磁力により着脱可能に取り付けられているが、本発明はこれに限られない。操作装置が、便器装置に面ファスナー等により着脱可能に取り付けられていてもよい。
【００５７】
また、上記に示す実施形態では、便器装置１０１に案内部として凹部３３が設けられているが、本発明はこれに限られない。便器装置の外面に外方に突出するリブが設けられて、操作装置がリブに嵌合するようにして取り付け可能であってもよい。
【００５８】
また、上記に示す実施形態では、送電部２１は便器装置１０１の左右方向の両側に配置されているが、本発明はこれに限られない。送電部は、便器装置の左右方向の中央に配置されていてもよい。この場合には、送電部を１箇所にのみ設ければよいため、便器装置の内部の構成をシンプルにすることができる。
【００５９】
また、上記に示す実施形態では、スイッチ５からの操作信号に基づいて洗浄水が供給されるように構成されているが、本発明はこれに限られない。操作部は、機能部に対して所望の信号を送信可能であればよく、局部洗浄装置や開閉装置を起動させる信号を送信する構成等であってもよい。
【００６０】
また、上記に示す実施形態では、操作措置としてスイッチユニット１０２を例に挙げて説明したが、本発明はこれに限られず、各種の操作が可能なリモコンであってもよい。
【符号の説明】
【００６１】
４…受電部
５…スイッチ（操作部）
６…表示部
７…磁性体
１１…便器
１２…機能装置（機能部）
１３…本体カバー
１４…トップカバー
１５…便座
１６…便蓋
２１…送電部
２２…マグネット
２６…送電ユニット
３１…側面パネル
３３…凹部
４０…蓋部
１００…トイレシステム
１０１…便器装置
１０２…スイッチユニット（操作装置）
【図１】
2019173351.tif 000003
【図２】
2019173351.tif 000004
【図３】
2019173351.tif 000005
【図４】
2019173351.tif 000006